(57)【特許請求の範囲】
【請求項１】
車両に搭載され、該車両の各種状態を、該各種状態の値に応じた文字板上の目盛り箇所の指針による指示によって表示する車両用計器において、
前記指針に表面を臨ませて該指針の背後に配置された透光性の基板と、
前記基板のうち前記文字板を構成する文字板部分の表面に形成され、前記表示の視認箇所から視認可能な第１模様と、
前記視認箇所から前記基板を介して透視可能なように前記文字板部分の裏面上に形成された第２模様と、
前記基板のうち前記文字板部分を除く見返し部分の表面に形成され、前記表示の視認箇所から視認可能な第３模様と、
前記視認箇所から前記基板を介して透視可能なように前記見返し部分の裏面上に形成された第４模様とを備え、
前記第１模様乃至前記第４模様により、ステレオグラムとして立体視可能なステレオグラムパターンが構成されていて、該ステレオグラムパターンにより、前記文字板部分と前記見返し部分とが前記視認箇所から前記表示に対する視線方向において互いに異なる箇所に位置するように立体視される、
ことを特徴とする車両用計器。
【請求項２】
前記第１模様及び前記第２模様は、前記文字板部分が前記視線方向における実際の箇所に位置するように視認されるように構成されている請求項１記載の車両用計器。
【請求項３】
前記第１模様及び前記第２模様は、前記文字板部分が前記視線方向における実際の箇所とは異なる箇所に位置するように視認されるように構成されている請求項１記載の車両用計器。
【請求項４】
前記第１模様及び前記第３模様は互いに異なる色で形成されている請求項１、２又は３記載の車両用計器。
【請求項５】
前記文字板部分及び前記見返し部分のうちいずれか一方の裏面側には、前記第１模様乃至前記第４模様との視覚上での識別が可能なこれら第１模様乃至第４模様とは異なる色の着色層が形成されている請求項１、２、３又は４記載の車両用計器。
【発明の詳細な説明】
【０００１】
【発明の属する技術分野】
本発明は、車両の各種状態を指針による指示によって表示する車両用計器に関する。
【０００２】
【従来の技術】
車両においては、その車両の走行速度やエンジン回転数、残燃料や冷却水の温度といった各種状態を表示するメータ類を集約したコンビネーションメータが設けられており、このうち、各種状態の値に応じた文字板上の目盛り箇所を指針により指示するコンビネーションメータにおいては、特に、夜間における表示の視認性を向上させるために、文字板の背後に配置された光源からの光を用いて、文字板にスリット状に形成した目盛りを透過照明したり、指針自身を光輝させるようにしている。
【０００３】
そして、上述した目盛りや指針の照明のために文字板の背後に光源を配置することになったことから、コンビネーションメータのケースと文字板との隙間から光源の光が漏れて目盛りや指針が十分に照明できなくなったり、見栄えが損なわれてしまうのを防ぐために、見返し板と呼ばれる遮光板を文字板の前方からその周縁部に当接させる手法が採られるようになった。
【０００４】
しかし、その後の改良により、コンビネーションメータのケースと文字板との間に光源の光が漏れてしまうような隙間ができないようにする構成が採用されたことから、見返し板の役割は、光源からの光の漏れ防止という技術的な役割から、見返し板と文字板との間に段差を形成してコンビネーションメータに立体感を持たせ、高級感を演出するという、むしろ意匠的な役割に変化し、そのまま今日に至っているのが実状である。
【０００５】
【発明が解決しようとする課題】
したがって従来は、高級感を演出するべくコンビネーションメータに立体感を持たせるために、コンビネーションメータとしての動作には全く寄与しない見返し板をわざわざ用いていることになり、しかも、高級感を要求されるのは相対的にグレードの高い車種であることから、グレードに関係なく車種毎に構成部品を共通化するという普遍的な要求の下、立体感を損ねずに見返し板を省略することが強く要望されていた。
【０００６】
本発明は前記事情に鑑みなされたもので、本発明の目的は、車両に搭載されてその車両の各種状態を指針による指示によって表示するアナログ式の車両用計器において、見返し板を省略しても文字板回りに立体感を持たせることができる車両用計器を提供することにある。
【０００７】
【課題を解決するための手段】
前記目的を達成するため請求項１に記載した本発明の車両用計器は、車両に搭載され、該車両の各種状態を、該各種状態の値に応じた文字板上の目盛り箇所の指針による指示によって表示する車両用計器において、前記指針に表面を臨ませて該指針の背後に配置された透光性の基板と、前記基板のうち前記文字板を構成する文字板部分の表面に形成され、前記表示の視認箇所から視認可能な第１模様と、前記視認箇所から前記基板を介して透視可能なように前記文字板部分の裏面上に形成された第２模様と、前記基板のうち前記文字板部分を除く見返し部分の表面に形成され、前記表示の視認箇所から視認可能な第３模様と、前記視認箇所から前記基板を介して透視可能なように前記見返し部分の裏面上に形成された第４模様とを備え、前記第１模様及び前記第２模様と前記第３模様及び前記第４模様とのうち少なくとも一方により、ステレオグラムとして立体視可能なステレオグラムパターンが構成されていて、該ステレオグラムパターンにより、前記文字板部分と前記見返し部分とが前記視認箇所から前記表示に対する視線方向において互いに異なる箇所に位置するように立体視されることを特徴とする。
【０００８】
また、請求項２に記載した本発明の車両用計器は、請求項１に記載した本発明の車両用計器において、前記第１模様及び前記第２模様が、前記文字板部分が前記視線方向における実際の箇所に位置するように視認されるように構成されているものとした。
【０００９】
さらに、請求項３に記載した本発明の車両用計器は、請求項１に記載した本発明の車両用計器において、前記第１模様及び前記第２模様が、前記文字板部分が前記視線方向における実際の箇所とは異なる箇所に位置するように視認されるように構成されているものとした。
【００１０】
また、請求項４に記載した本発明の車両用計器は、請求項１、２又は３に記載した本発明の車両用計器において、前記第１模様及び前記第３模様が互いに異なる色で形成されているものとした。
【００１１】
さらに、請求項５に記載した本発明の車両用計器は、請求項１、２、３又は４に記載した本発明の車両用計器において、前記文字板部分及び前記見返し部分のうちいずれか一方の裏面側に、前記第１模様乃至前記第４模様との視覚上での識別が可能なこれら第１模様乃至第４模様とは異なる色の着色層が形成されているものとした。
【００１２】
請求項１に記載した本発明の車両用計器によれば、基板のうち文字板を構成する文字板部分の表裏各面に形成された第１模様及び第２模様と、基板のうち文字板部分を除く見返し部分の表裏各面に形成された第３模様及び第４模様との、視認箇所からの視差の相違により、第１模様及び第２模様が形成された文字板部分と第３模様及び第４模様が形成された見返し部分とが、視認箇所から表示に対する視線方向において互いに異なる箇所に位置するように立体視されることになる。
【００１３】
また、請求項２に記載した本発明の車両用計器によれば、請求項１に記載した本発明の車両用計器において、指針によって指示される目盛りを有する文字板を構成する基板の文字板部分が、視認箇所から表示に対する視線方向において実際の箇所に位置するように視認されることから、実際の実像を視認箇所から視認することになる指針と、この指針の背景にある基板の文字板部分との間に、視線方向における視覚上の位置の差が殆ど生じず、かつ、基板の見返し部分が視線方向において実際とは異なる箇所に位置するように視認されることで、文字板部分と見返し部分との間に視線方向の位置差による立体感が視覚上生じることになる。
【００１４】
さらに、請求項３に記載した本発明の車両用計器によれば、請求項１に記載した本発明の車両用計器において、指針によって指示される目盛りを有する文字板を構成する基板の文字板部分と、この文字板部分を除く基板の見返し部分とが、視認箇所から表示に対する視線方向において実際とは異なる箇所に各々位置するように視認されることから、指針の背景にある基板の文字板部分や、この文字板部分を除く基板部分である見返し部分と、実際の実像を視認箇所から視認することになる指針との間に、視線方向における位置の差が視覚上生じることになる。
【００１５】
また、請求項４に記載した本発明の車両用計器によれば、請求項１、２又は３に記載した本発明の車両用計器において、視認箇所から表示に対する視線方向において互いに異なる箇所に位置するように立体視される基板の文字板部分と見返し部分とが、文字板部分の表面に形成された第１模様と見返し部分の表面に形成された第３模様との色の相違により、色分けされて視覚上容易に判別されることになる。
【００１６】
さらに、請求項５に記載した本発明の車両用計器によれば、請求項１、２、３又は４に記載した本発明の車両用計器において、視認箇所から表示に対する視線方向において互いに異なる箇所に位置するように立体視される基板の文字板部分と見返し部分とが、文字板部分及び見返し部分のうちいずれか一方の裏面側に形成された着色層により、色分けされて視覚上容易に判別されることになり、かつ、着色層が第１模様及び前記第２模様と前記第３模様及び第４模様とのうち少なくとも一方により乃至第４模様とは異なる色であることから、第１模様乃至第４模様により構成されるステレオグラムパターンによる文字板部分と見返し部分との立体視効果を損ねるような、文字板部分の裏面に形成された第２模様や見返し部分の裏面に形成された第４模様と、着色層との見分けがつかなくなるような事態は発生しないことになる。
【００１７】
【発明の実施の形態】
以下、本発明の車両用計器の実施形態を、図面を参照して説明する。
【００１８】
図１は本発明の第１実施形態に係る計器の断面図であり、図１に示す計器は、前面に開口部１ａを有するケース１と、このケース１の内部に収容されて背面１ｂに取着されたバルブ３，３と、これらバルブ３，３から出射された光を開口部１ａ側の上下方向全域に導く導光板５と、この導光板５の背面１ｂ側に配置されたムーブメント７と、導光板５の前方に配置されたパネル９と、導光板５の略円錐状の通孔５ａ及びパネル９の通孔９ａを貫通したムーブメント７の出力軸７ａの先端に基部１１ａが取着されて開口部１ａ側に配置された透光性の指針１１と、この指針１１の前方に配置されて開口部１ａを塞ぐ前面カバー１３とを有している。
【００１９】
そして、第１実施形態の計器は、図２に正面図で示すように、中央左右の速度計３１及びタコメータ３３と、左右両側の燃料計３５及び冷却水の温度計３７を有しており、これらは、図面による詳細な説明を省略するものの、ケース１、パネル９、及び、前面カバー１３を共用し、かつ、バルブ３、導光板５、ムーブメント７、並びに、指針１１を各々個別に有して構成されている。
【００２０】
前記パネル９（基板に相当）は、例えばアクリル等の透明な樹脂板により形成されており、速度計３１及びタコメータ３３の文字板として機能し指針１１が前方に配置される文字板部分１５と、燃料計３５及び冷却水の温度計３７の文字板として機能し指針１１が前方に配置される文字板部分１７と、これら文字板部分１５，１７を除くパネル９部分によって構成される見返し部分１９とを有している。
【００２１】
そして、図３にパネル部分の要部拡大横断面図で示すように、前面カバー１３に臨むパネル９の表面９ｂのうち文字板部分１５，１７に対応する部分には、複数の正円形の網点２１ａを等ピッチで網目状に規則的に配列した黒色の第１模様２１が印刷により形成されており、導光板５に臨むパネル９の裏面９ｃのうち文字板部分１５，１７に対応する部分には、複数の正円形の網点２３ａを等ピッチで網目状に規則的に配列した黒色の第２模様２３が印刷により形成されている。
【００２２】
また、パネル９の表面９ｂのうち見返し部分１９に対応する部分には、複数の正円形の網点２５ａを等ピッチで網目状に規則的に配列した黒色の第３模様２５が印刷により形成されており、パネル９の裏面９ｃのうち見返し部分１９に対応する部分には、複数の正円形の網点２７ａを等ピッチで網目状に規則的に配列した黒色の第４模様２７が印刷により形成されている。
【００２３】
そして、第１実施形態の計器の第３模様２５及び第４模様２７は、左右の目の視差により視認対象物が実際の存在箇所よりも奥又は手前にずれて視認されるステレオグラムの原理を利用した、ステレオグラムパターンを構成している。
【００２４】
即ち、第３模様２５及び第４模様２７は、これら第３模様２５及び第４模様２７が同一平面に存在する場合には、平行法又は交差法により左右の目の焦点を第３模様２５及び第４模様２７の存在平面の奥又は手前にずらさなければならないところを、図１に示すケース１の前方の視点Ｏ（視認箇所に相当）からパネル９を視認する視線の焦点をパネル９の表面９ｂに合わせたままで、パネル９の見返し部分１９が実際の位置よりも手前にずれて視認されるように構成されている。
【００２５】
さらに、図３に示すように、第２模様２３及び第４模様２７の上には、パネル９の裏面９ｃの全体に亘って、黒色との視覚的な識別の可能な暗色系の色（例えば灰色や紺色、茶色など）による遮光膜２９が印刷等により形成されており、この遮光膜２９には、指針１１により指示される目盛り２９ａがスリット状に形成されていて、この目盛り２９ａは、図２に示すように、指針１１による文字板部分１５，１７上の指示範囲に応じて、第２模様２３上に円弧状又は円環状に配置されている。
【００２６】
このように構成された第１実施形態の計器では、バルブ３の点灯時には、バルブ３から導光板５により導かれた光によって、遮光膜２９の目盛り２９ａが透過照明されて、この照明された目盛り２９ａが、第２模様２３、パネル９、第１模様２１、前面カバー１３を透して、視点Ｏから視認されると共に、バルブ３から導光板５により導かれ、さらに、導光板５の通孔５ａの内周面で反射されてパネル９の通孔９ａを透過し基部１１ａから内部に入射した光により、指針１１が照明されて光輝し、この照明された指針１１が、前面カバー１３を透して視点Ｏから視認される。
【００２７】
一方、バルブ３の消灯時には、ケース１の内部にバルブ３以外の発光源がないことから、前面カバー１３、第１模様２１、パネル９、第２模様２３を透過した外光により遮光膜２９の目盛り２９ａが照らされて、目盛り２９ａが第２模様２３、パネル９、第１模様２１、前面カバー１３を透して視点Ｏから視認されると共に、前面カバー１３を透過したパネル９の前方からの外光により照らされて、指針１１が前面カバー１３を透して視点Ｏから視認される。
【００２８】
次に、上述のように構成された第１実施形態の計器の作用について説明する。
【００２９】
第１実施形態の計器では、前面カバー１３を透して視点Ｏから、指針１１と、パネル９の表面９ｂに形成された第１模様２１及び第３模様２５とが視認される他、これら第１模様２１及び第３模様２５の網点２１ａ，２５ａの間からパネル９を透して、パネルの裏面９ｃに形成された第２模様２３及び第４模様２７が視認されることになる。
【００３０】
そして、第１実施形態の計器では、第３模様２５及び第４模様２７が、視点Ｏからパネル９を視認する視線の焦点をパネル９の表面９ｂに合わせたままで、パネル９の見返し部分１９が実際の位置よりも手前にずれて視認されるように構成されていることから、文字板部分１５，１７と見返し部分１９の指針１１に対する視覚上の位置関係を示す図４の模式図のように、実際よりケース１の開口部１ａ側にずれた箇所に位置するように視認される見返し部分１９の方が、指針１１と共に現実の箇所に位置するように視認される文字板部分１５，１７よりも、手前に存在するかのごとく立体視される。
【００３１】
即ち、文字板部分１５，１７と見返し部分１９とが実際には同一のパネル９により構成されていて、視点Ｏからの視認方向において同一の奥行き箇所に位置しているにも拘わらず、視覚上では、第３模様２５及び第４模様２７が形成されたパネル９の見返し部分１９が、第１模様２１及び第２模様２３が形成されたパネル９の文字板部分１５，１７よりも、手前に存在するかのごとく立体視される。
【００３２】
したがって、現実には構造的な境界線のない文字板部分１５，１７と見返し部分１９とが、視覚上の段差により区別して認識され、これら文字板部分１５，１７及び見返し部分１９からなるパネル９に立体感が生じることになる。
【００３３】
このように第１実施形態の計器によれば、指針１１により指示される目盛り２９ａをスリット状に形成した遮光膜２９を裏面９ｃ側に配置したパネル９の、文字板として機能し指針１１が前方に配置される文字板部分１５，１７を除く部分によって構成される、見返し部分１９に対応するパネル９部分に形成した、表面９ｂ側の第３模様２５及び裏面９ｃ側の第４模様２７により、ステレオグラムを構成し、このステレオグラムにより、第３模様２５及び第４模様２７を形成した見返し部分１９が、第１模様２１及び第２模様２３を形成した文字板部分１５，１７よりも、ケース１の開口部１ａ側に張り出して存在するかのごとく立体視される構成とした。
【００３４】
このため、パネル９という単一部材によって文字板部分１５，１７と見返し部分１９との間に視覚上の段差を発生させて立体感を持たせ、従来のように文字板とは別に見返し板を用いる必要をなくして、立体感による高級感を損ねることなく部品点数の削減を図ることができ、ひいては、第１模様２１乃至第４模様２７の設計を適宜変更したり、状況に応じて第１模様２１乃至第４模様２７の一部又は全部を省略又は他の印刷層に置き換えることで、立体感を必要としないグレードの計器との部品の共通化を図ることができる。
【００３５】
次に、本発明の第２実施形態について説明する。
【００３６】
そして、第２実施形態に係る計器は、図５にパネル部分の要部拡大横断面図で示すように、パネル９の表面９ｂのうち見返し部分１９に対応する部分に形成される第３模様２５を、黒色でなく銀色とした点において、第１実施形態の計器とは構成が異なっており、その他の点については第１実施形態の計器と同様に構成されている。
【００３７】
このように構成された第２実施形態の計器では、第１実施形態の計器と同様に、視覚上で、第３模様２５及び第４模様２７が形成されたパネル９の見返し部分１９が、第１模様２１及び第２模様２３が形成されたパネル９の文字板部分１５，１７よりも、手前に存在するかのごとく立体視され、現実には構造的な境界線のない文字板部分１５，１７と見返し部分１９とが、視覚上の段差により区別して認識され、これら文字板部分１５，１７及び見返し部分１９からなるパネル９に立体感が生じることになる。
【００３８】
そして、第２実施形態の計器では、第３模様２５を銀色としていることから、文字板部分１５，１７が黒色に視認されるのに対して見返し部分１９は銀色の金属板風に視認されることになり、よって、見返し部分１９に金属感を持たせることができる。
【００３９】
ちなみに、見返し部分１９の第３模様２５の代わりに文字板部分１５，１７の第１模様２１を黒色でなく銀色として、文字板部分１５，１７に金属感を持たせるようにしてもよく、或は、文字板部分１５，１７の第１模様２１と見返し部分１９の第３模様２５との両方を、同じ銀色、或は、若干コントラストの異なる銀色に各々着色する構成としてもよく、そのように構成すれば、文字板部分１５，１７と見返し部分１９との両方を、立体感がありかつ金属感のあるものとすることができるようになる。
【００４０】
尚、見返し部分１９に金属感を持たせるための構成は、第２実施形態の計器のように第３模様２５を銀色とすることに限らず、第３模様２５は他の第１模様２１及び第２模様２３や第４模様２７と同様に黒色のままとし、その代わりに、第４模様２７の上に限って、図６にパネル部分の要部拡大横断面図で示すように、暗色系の遮光膜２９ではなく銀色の着色層４１を印刷等により形成することによっても実現することができる。
【００４１】
また、文字板部分１５，１７についても同様であり、第１模様２１は他の第２模様２３乃至第４模様２７と同様に黒色のままとし、第１模様２１を銀色とする代わりに、第２模様２３の上に限って、暗色系の遮光膜２９ではなく銀色の着色層（図示せず）を、目盛りをスリット状に設けた上で印刷等により形成することによっても、文字板部分１５，１７に金属感を持たせるための構成を実現することができる。
【００４２】
さらに、図７にパネル部分の要部拡大横断面図で示すように、第２模様２３の上に、遮光膜２９に代えて、第１模様２１乃至第４模様２７との視覚的な識別の可能な色の着色膜４３を印刷等により形成して、この遮光層４３に目盛り４３ａをスリット状に形成すると共に、第４模様２７の上に、遮光膜２９に代えて、第１模様２１乃至第４模様２７との視覚的な識別の可能な色であって、かつ、着色層４３とは異なる色の着色層４５を印刷等により形成して、文字板部分１５，１７と見返し部分１９とが各々異なる色に色分けされて視認されるように構成してもよい。
【００４３】
ちなみに、金属感を持たせる必要性がないのであれば、図示しての詳細な説明は省略するものの、図６に示すように第４模様２７の上に印刷等により形成する着色層４１や、第２模様２３の上に印刷等により形成する不図示の着色層の色を、銀色以外の、第１模様２１乃至第４模様２７との視覚的な識別の可能な色に変えても、文字板部分１５，１７と見返し部分１９とが色分けされて視認されるように構成することができる。
【００４４】
そして、図５乃至図７の構成、或はそれらを変形した図示省略の構成のいずれを採用しても、視覚上の段差が形成される文字板部分１５，１７と見返し部分１９とが各々異なる色に色分けされることから、視覚上での文字板部分１５，１７と見返し部分１９との区別をより明確にして、第１模様２１乃至第４模様２７による立体視の効果をより一層引き立たせることができる。
【００４５】
尚、上述した第１及び第２の各実施形態では、図４に示すように、パネル９の見返し部分１９に対応する部分に形成した、表面９ｂ側の第３模様２５及び裏面９ｃ側の第４模様２７により、見返し部分１９が実際よりケース１の開口部１ａ側にずれた箇所に位置するように視認されるステレオグラムを構成し、これにより、指針１１のすぐ背後の現実の箇所に位置するように視認される文字板部分１５，１７に対して、見返し部分１９が手前に位置するように視認される構成とした場合について説明した。
【００４６】
しかし、これに限らず、例えば、第３模様２５及び第４模様２７により見返し部分１９が実際よりケース１の背面１ｂ側にずれた箇所に位置するように視認されるステレオグラムを構成し、これにより、図８に模式図で示すように、指針１１のすぐ背後の現実の箇所に位置するように視認される文字板部分１５，１７に対して、見返し部分１９が奥に位置するように視認される構成としてもよい。
【００４７】
また、上述した第１及び第２の各実施形態では、ステレオグラムを構成するのが、パネル９の見返し部分１９に対応する部分に形成した、表面９ｂ側の第３模様２５及び裏面９ｃ側の第４模様２７のみであるものとしたが、パネル９の文字板部分１５，１７に対応する部分に形成した、表面９ｂ側の第１模様２１及び裏面９ｃ側の第２模様２３のみであるものとし、これら第１模様２１及び第２模様２３により、文字板部分１５，１７が実際よりケース１の背面１ｂ側や開口部１ａ側にずれた箇所に位置するように視認されるステレオグラムを構成してもよい。
【００４８】
そして、第１模様２１及び第２模様２３により、文字板部分１５，１７が実際よりケース１の背面１ｂ側にずれた箇所に位置するように視認されるステレオグラムを構成した場合には、図９に模式図で示すように、指針１１と共に現実の箇所に位置するように視認される見返し部分１９に対して、文字板部分１５，１７が奥に位置するように視認されることになる。
【００４９】
反対に、第１模様２１及び第２模様２３により、文字板部分１５，１７が実際よりケース１の開口部１ａ側にずれた箇所に位置するように視認されるステレオグラムを構成した場合には、図１０に模式図で示すように、指針１１と共に現実の箇所に位置するように視認される見返し部分１９に対して、文字板部分１５，１７が手前に位置するように視認されることになる。
【００５０】
さらに、第１模様２１及び第２模様２３によりステレオグラムを構成すると共に第３模様２５及び第４模様２７によりステレオグラムを構成し、各々のステレオグラムにより現実とは異なって視認される文字板部分１５，１７や見返し部分１９の箇所を、視認箇所Ｏからパネル９を視認する視認方向にずらすようにしてもよい。
【００５１】
そして、それぞれのステレオグラムを共に、現実の箇所よりケース１の開口部１ａ側にずれた箇所に位置して視認されるように構成する場合、第１模様２１及び第２模様２３によるステレオグラムを、第３模様２５及び第４模様２７によりによるステレオグラムよりも、ずれて視認される度合いが大きくなるように構成すれば、図１１に模式図で示すように、現実の箇所に位置するように視認される指針１１よりも見返し部分１９が手前に位置し、かつ、さらに手前に文字板部分１５，１７が位置するように視認されることになる。
【００５２】
反対に、第１模様２１及び第２模様２３によるステレオグラムを、第３模様２５及び第４模様２７によりによるステレオグラムよりも、ずれて視認される度合いが小さくなるように構成すれば、図１２に模式図で示すように、現実の箇所に位置するように視認される指針１１よりも文字板部分１５，１７が手前に位置し、かつ、さらに手前に見返し部分１９が位置するように視認されることになる。
【００５３】
一方、それぞれのステレオグラムを共に、現実の箇所よりケース１の背面１ｂ側にずれた箇所に位置して視認されるように構成する場合、第１模様２１及び第２模様２３によるステレオグラムを、第３模様２５及び第４模様２７によりによるステレオグラムよりも、ずれて視認される度合いが大きくなるように構成すれば、図１３に模式図で示すように、現実の箇所に位置するように視認される指針１１よりも見返し部分１９が奥に位置し、かつ、さらに奥に文字板部分１５，１７が位置するように視認されることになる。
【００５４】
反対に、第１模様２１及び第２模様２３によるステレオグラムを、第３模様２５及び第４模様２７によりによるステレオグラムよりも、ずれて視認される度合いが小さくなるように構成すれば、図１４に模式図で示すように、現実の箇所に位置するように視認される指針１１よりも文字板部分１５，１７が奥に位置し、かつ、さらに奥に見返し部分１９が位置するように視認されることになる。
【００５５】
また、上述した第１及び第２の各実施形態では、第１模様２１乃至第４模様２７を構成する網点２１ａ，２３ａ，２５ａ，２７ａを正円状としたが、網点の形状は正円状に限らず正多角形や「×」印等任意であり、網点をいかなる形状としても、文字板部分１５，１７と見返し部分１９との間に視覚上の段差を発生させて立体感を生じさせることができる。
【００５６】
さらに、第１模様２１と第２模様２３や、第３模様２５と第４模様２７は、互いに全く同じパターンとしてもよく、網点の寸法及び網点どうしのピッチのうち少なくとも一方が異なる相似のパターンとしてもよい。
【００５７】
また、上述した第１及び第２の各実施形態では、指針１１により指示される目盛り２９ａが透過照明され、かつ、指針１１自身も照明されて光輝する照明式の計器を例に取って説明したが、本発明は、照明式でない計器であっても、文字板上の目盛りを指針により指示する形式の車両用計器であれば適用可能である。
【００５８】
さらに、上述した第１及び第２の各実施形態では、車両の速度計３１やタコメータ３３、燃料計３５、並びに、冷却水の温度計３７を集約した計器に本発明を適用した場合について説明したが、本発明は、車両の他の部分に関する状態を、文字板上の目盛りの指針による指示によって表示する車両用計器に広く適用可能であることは言うまでもない。
【００５９】
【発明の効果】
以上説明したように請求項１に記載した本発明の車両用計器によれば、車両に搭載され、該車両の各種状態を、該各種状態の値に応じた文字板上の目盛り箇所の指針による指示によって表示する車両用計器において、前記指針に表面を臨ませて該指針の背後に配置された透光性の基板と、前記基板のうち前記文字板を構成する文字板部分の表面に形成され、前記表示の視認箇所から視認可能な第１模様と、前記視認箇所から前記基板を介して透視可能なように前記文字板部分の裏面上に形成された第２模様と、前記基板のうち前記文字板部分を除く見返し部分の表面に形成され、前記表示の視認箇所から視認可能な第３模様と、前記視認箇所から前記基板を介して透視可能なように前記見返し部分の裏面上に形成された第４模様とを備え、前記第１模様及び前記第２模様と前記第３模様及び前記第４模様とのうち少なくとも一方により、ステレオグラムとして立体視可能なステレオグラムパターンが構成されていて、該ステレオグラムパターンにより、前記文字板部分と前記見返し部分とが前記視認箇所から前記表示に対する視線方向において互いに異なる箇所に位置するように立体視される構成とした。
【００６０】
このため、視認箇所から表示に対する視線方向において、第１模様及び第２模様が形成された文字板部分と第３模様及び第４模様が形成された見返し部分とを互いに異なる箇所に位置するように立体視させて、文字板部分と見返し部分とを共通の基板により単一部材で構成し、従来の見返し板を省略しつつ、従来の文字板と見返し板との段差による立体感を維持して高級感を演出することができる。
【００６１】
また、請求項２に記載した本発明の車両用計器によれば、請求項１に記載した本発明の車両用計器において、前記第１模様及び前記第２模様が、前記文字板部分が前記視線方向における実際の箇所に位置するように視認される構成とした。
【００６２】
このため、請求項１に記載した本発明の車両用計器において、指針とその背景にある文字板部分との間に視線方向における視覚上の位置の差が殆ど生じないようにして、文字板部分と指針との配置に現実味を持たせつつ文字板部分と見返し部分とを立体的に視認させることができる。
【００６３】
さらに、請求項３に記載した本発明の車両用計器によれば、請求項１に記載した本発明の車両用計器において、前記第１模様及び前記第２模様が、前記文字板部分が前記視線方向における実際の箇所とは異なる箇所に位置するように視認される構成とした。
【００６４】
このため、請求項１に記載した本発明の車両用計器において、文字板部分と見返し部分との間だけでなく、指針とその背景にある文字板部分との間にも、視線方向における視覚上の位置の差を発生させて、全体としての立体視される部分及びバリエーションを増やし、立体視効果を高めることができる。
【００６５】
また、請求項４に記載した本発明の車両用計器によれば、請求項１、２又は３に記載した本発明の車両用計器において、前記第１模様及び前記第３模様が互いに異なる色で形成されている構成とした。
【００６６】
このため、請求項１、２又は３に記載した本発明の車両用計器において、文字板部分の表面に形成された第１模様と見返し部分の表面に形成された第３模様との色の相違により、ステレオグラムパターンにより立体視されて区別される文字板部分と見返し部分とを色分けで見分け易くし、立体視効果を強調することができる。
【００６７】
さらに、請求項５に記載した本発明の車両用計器によれば、請求項１、２、３又は４に記載した本発明の車両用計器において、前記文字板部分及び前記見返し部分のうちいずれか一方の裏面側に、前記第１模様乃至前記第４模様との視覚上での識別が可能なこれら第１模様乃至第４模様とは異なる色の着色層が形成されている構成とした。
【００６８】
このため、請求項１、２、３又は４に記載した本発明の車両用計器において、文字板部分及び見返し部分のうちいずれか一方の裏面側に形成された着色層により、ステレオグラムパターンにより立体視されて区別される文字板部分と見返し部分とを色分けで見分け易くし、立体視効果を強調することができる。
【図面の簡単な説明】
【図１】本発明の第１実施形態に係る車両用計器を示す断面図である。
【図２】図１の車両用計器の正面図である。
【図３】図１のパネル部分の要部拡大横断面図である。
【図４】図２の文字板部分と見返し部分の指針に対する視覚上の位置関係を示す模式図である。
【図５】本発明の第２実施形態に係る車両用計器のパネル部分を示す要部拡大横断面図である。
【図６】本発明の第２実施形態の変形実施形態に係る車両用計器のパネル部分を示す要部拡大横断面図である。
【図７】本発明の第２実施形態の変形実施形態に係る車両用計器のパネル部分を示す要部拡大横断面図である。
【図８】本発明の他の実施形態に係る車両用計器の文字板部分と見返し部分の指針に対する視覚上の位置関係を示す模式図である。
【図９】本発明の他の実施形態に係る車両用計器の文字板部分と見返し部分の指針に対する視覚上の位置関係を示す模式図である。
【図１０】本発明の他の実施形態に係る車両用計器の文字板部分と見返し部分の指針に対する視覚上の位置関係を示す模式図である。
【図１１】本発明の他の実施形態に係る車両用計器の文字板部分と見返し部分の指針に対する視覚上の位置関係を示す模式図である。
【図１２】本発明の他の実施形態に係る車両用計器の文字板部分と見返し部分の指針に対する視覚上の位置関係を示す模式図である。
【図１３】本発明の他の実施形態に係る車両用計器の文字板部分と見返し部分の指針に対する視覚上の位置関係を示す模式図である。
【図１４】本発明の他の実施形態に係る車両用計器の文字板部分と見返し部分の指針に対する視覚上の位置関係を示す模式図である。
【符号の説明】
９  パネル（基板）
９ｂ  パネル表面（文字板部分表面、見返し部分表面）
９ｃ  パネル裏面（文字板部分裏面、見返し部分裏面）
１１  指針
１５，１７  文字板部分
１９  見返し部分
２１  第１模様
２３  第２模様
２５  第３模様
２７  第４模様
２９ａ，４３ａ  目盛り
４１，４３，４５  着色層
Ｏ  視点（視認箇所）
【図１】
0004440430.tif 000002
【図２】
0004440430.tif 000003
【図３】
0004440430.tif 000004
【図４】
0004440430.tif 000005
【図５】
0004440430.tif 000006
【図６】
0004440430.tif 000007
【図７】
0004440430.tif 000008
【図８】
0004440430.tif 000009
【図９】
0004440430.tif 000010
【図１０】
0004440430.tif 000011
【図１１】
0004440430.tif 000012
【図１２】
0004440430.tif 000013
【図１３】
0004440430.tif 000014
【図１４】
0004440430.tif 000015